(57)【特許請求の範囲】
【請求項１】
マットレスに内設されるポケットコイルであって、
多数のコイルバネ収容室が列設された袋体と、
該コイルバネ収容室に１つずつ収容される多数のコイルバネと
を備え、
前記袋体が不織布からなり、前記袋体を開放して前記コイルバネを取り出すための無貫通溶融線からなる切断線を有し、
前記袋体は、帯状の不織布により形成され、当該不織布の幅方向の両端部を融着して当該ポケットコイルの長手方向に形成された長手方向融着線と、前記長手方向融着線と直交し、隣接するコイルバネ収容室を仕切る上下方向融着線と、前記コイルバネの軸方向の両端を覆う上壁、及び下壁と、前記コイルバネの側方を覆う側壁とを有し、
前記コイルバネは、前記上下方向融着線と軸方向を同じくして前記コイルバネ収容室に収容されており、
前記切断線が、前記上壁、又は下壁に、前記長手方向に沿って設けられており、
前記上下方向融着線は、前記袋体の上下方向の少なくも一部に非融着部を残して設けられており、
前記切断線が、前記非融着部を通るようにして設けられていることを特徴とするポケットコイル。
【請求項２】
マットレスに内設されるポケットコイルであって、
多数のコイルバネ収容室が列設された袋体と、
該コイルバネ収容室に１つずつ収容される多数のコイルバネと
を備え、
前記袋体が不織布からなり、前記袋体を開放して前記コイルバネを取り出すための無貫通溶融線からなる切断線を有し、
前記袋体は、帯状の不織布により形成され、当該不織布の幅方向の両端部を融着して当該ポケットコイルの長手方向に形成された長手方向融着線と、前記長手方向融着線と直交し、隣接するコイルバネ収容室を仕切る上下方向融着線と、前記コイルバネの軸方向の両端を覆う上壁、及び下壁と、前記コイルバネの側方を覆う側壁とを有し、
前記コイルバネは、前記上下方向融着線と軸方向を同じくして前記コイルバネ収容室に収容されており、
前記切断線が、前記側壁に、前記長手方向に沿って設けられており、
前記上下方向融着線は、前記袋体の上下方向の少なくも一部に非融着部を残して設けら
れており、
前記切断線が、前記非融着部を通るようにして設けられていることを特徴とするポケットコイル。
【請求項３】
前記切断線は平行して２本設けられている請求項１、又は請求項２に記載のポケットコイル。
【発明の詳細な説明】
【技術分野】
【０００１】
この発明は、マットレス内部に装填されるいわゆるポケットコイルに関し、特にコイルバネを装填する袋に切断線を有するポケットコイルに関する。
【背景技術】
【０００２】
従来、廃棄されたマットレスからポケットコイルの不織布やコイルバネをリサイクルするために、ポケットコイルの分解を容易にすべく不織布にミシン目を設けることが提案されている（特許文献１、特許文献２参照）。
【０００３】
例えば特許文献１では、コイルを収容する袋体の上下の壁にコイルの並ぶ方向に沿ってミシン目を入れたポケットコイルが提案されている。
特許文献１のポケットコイルでは、袋体の上下の壁にミシン目を設けることで、使用時にコイルばねの伸縮による力がミシン目に加わらないようにしている。
【０００４】
また、特許文献２では、コイルを収容する袋体の周面に沿ってミシン目を設けたポケットコイルが提案されている。特許文献２のポケットコイルは、袋体の上下の壁をマットレスの表装に接着しておくことで、表装を剥がす際に、同時にポケットコイルの袋体が破れるよう構成されている。
【先行技術文献】
【特許文献】
【０００５】
【特許文献１】特開２００５−６５７２６号公報
【特許文献２】特開２０１２−９５７８５号公報
【発明の概要】
【発明が解決しようとする課題】
【０００６】
しかし、特許文献１、及び特許文献２のポケットコイルでは、切断線がミシン目で構成されているため、製作時や使用時に不意に破れてしまう虞がある。また、ミシン目のスリットが不織布を貫通しているため、該スリットから袋体の内部にダニや南京虫の幼虫等の虫や塵が侵入する虞がある。
本発明は、上記課題を解決するためになされたものであり、製作時や使用時に不意に破断することがなく、かつ虫や塵が袋体に侵入しにくいポケットコイルの提供を目的とする。
【課題を解決するための手段】
【０００７】
上記課題を解決するためになされた発明は、マットレスに内設されるポケットコイルであって、多数のコイルバネ収容室が列設された袋体と、該コイルバネ収容室に１つずつ収容される多数のコイルバネとを備え、前記袋体が不織布からなり、前記袋体を開放して前記コイルバネを取り出すための無貫通溶融線からなる切断線を有する。
【０００８】
本発明のポケットコイルは、このように、切断線をミシン目のような不織布を貫通する孔やスリットを有さない無貫通溶融線により形成したので、製作時や使用時に切断線が不意に破断することを抑制できる。また、これにより、袋体の内部に虫や塵が侵入することを抑制できる。
【０００９】
本発明のポケットコイルは、前記袋体が、帯状の不織布により形成され、当該不織布の幅方向の両端部を融着して当該ポケットコイルの長手方向に形成された長手方向融着線と、前記長手方向融着線と直交し、隣接するコイルバネ収容室を仕切る上下方向融着線と、前記コイルバネの軸方向の両端を覆う上壁、及び下壁と、前記コイルバネの側方を覆う側壁とを有し、前記コイルバネは、前記上下方向融着線と軸方向を同じくして前記コイルバネ収容室に収容されており、前記切断線が、前記上壁、又は下壁に、前記長手方向に沿って設けられている。
このように、切断線をコイルバネ収容室の上壁、又は下壁に設けることで、例えば、コイルポケットを多数の列に折りかえして並べた状態で解体する場合に、上壁、又は下壁から１列ずつ袋体を解体することができる。
【００１０】
あるいは、本発明のポケットコイルは、前記切断線が、前記側壁に、前記長手方向に沿って設けられていてもよい。
このように、コイルバネ収容室の側壁に長手方向に沿って切断線を設けることで、コイルバネを１列に広げた状態で解体する際に、側方から一息に袋体を解体することができる。
【００１１】
本発明のポケットコイルは、前記上下方向融着線が、前記袋体の上下方向の少なくも一部に非融着部を残して設けられており、前記切断線が、前記非融着部を通るようにして設けられている。
このように切断線が非融着部を通るようにすることで、不織布が２枚融着されて切断しにくい上下方向融着線を回避できるため、容易に切断線に沿って袋体を切断することができる。
【００１２】
前記切断線は平行して２本設けられていることが好ましい。これにより、２本の切断線の間の帯状部分を切りとるようにして、容易に袋体を解体できる。
【発明の効果】
【００１３】
以上説明したように、本発明のポケットコイルによれば、切断線が、製作時や使用時に不意に破断してしまうことを抑制でき、また、内部に虫や塵が侵入することを抑制できる。
【図面の簡単な説明】
【００１４】
【図１】本発明の第１実施形態に係るポケットコイルを示す斜視図である。
【図２】図１のポケットコイルの平面図である。
【図３】図１のポケットコイルを示す部分断面正面図である。
【図４】図２のＹ−Ｙ線断面図である。
【図５】本発明の第２実施形態に係るポケットコイルを示す斜視図である。
【発明を実施するための形態】
【００１５】
以下、適宜図面を用いながら本発明の実施形態について詳述する。ただし、本発明は、以下の実施形態に限られるものではない。
【００１６】
（第１実施形態）
図１から図４は、本発明の第１実施形態に係るポケットコイル１００を示している。ポケットコイル１００は、図１に示すように、コイルバネを収容する袋体１０と、多数のコイルバネ３，３，３…とを備え、ベッド等に載置されるマットレスにクッション材として内設されるものである。本発明のポケットコイル１００は、リサイクルのための分解を容易にすべく、袋体１０に切断線４が設けられている。
【００１７】
袋体１０は、帯状の不織布１により形成され、不織布１の幅方向の両端部１１ａ，１１ｂを重ねて融着する２条の破線状の長手方向融着線５，５と、長手方向融着線５，５と直交する多数の上下方向融着線６，６，…と、上下方向融着線６，６，…（図３参照）により仕切られる多数のコイルバネ収容室２，２，…とを有している。袋体１０に用いる不織布１としては、超音波、高周波、レーザーその他の公知の融着方法で融着可能であれば、特に限定されない。
【００１８】
コイルバネ収容室２，２，…には、上下方向融着線６，６，…と軸方向を同じくして、コイルバネ３が１つずつ収容される。
袋体１０は、コイルバネ３の軸方向の両端を覆う上壁１２、及び下壁１３と、コイルバネ３の側方を覆う側壁１４，１４とを有している。
コイルバネ３は、ステンレス、ばね鋼等の金属からなる。
【００１９】
袋体１０は、図３に示すように、帯状の不織布１の幅方向の両端部１１ａ，１１ｂが、一方の側壁１４上で重ね合わせるよう折り曲げられて、長手方向融着線５,５が、一方の側壁１４を通るように設けられている。
また、上下方向融着線６，６，…は、上端（図３上側）が上方に非融着部７１を残した状態で途切れるのに対し、下端側（図３下側）は、袋体１０の下端まで延びている。非融着部７１は、側壁１４と上壁１２の不織布を重ねて設けた一方側（図４右側）のマチ７１ａと他方側（図１左側）のマチ７１ｂが融着されていないのに対し、下壁１３側の一方側のマチ７２ａと他方側のマチ７２ｂは、上下方向融着線６により互いに融着されて、側壁１４を下壁１３の内側に三角形に折り込んだ三角形状のマチを形成している。
【００２０】
切断線４は、図１、図２、図４に示すように、上壁１２を非融着部７１を通るようにして、ポケットコイル１００の長手方向に沿って延びるよう設けられている。切断線４は、上壁１２を構成する不織布を厚み方向に貫通するスリットや貫通孔を有さない無貫通溶融線からなる。切断線４は、超音波、レーザー、高周波その他の溶着と同様の方法により形成される。図示の例では、切断線４は２本平行に設けられているが、１本でもよく３本以上を平行に設けてもよい。また、図示の例では、切断線４は融着部が破線状であるが、直線状に連続して設けてもよい。  
【００２１】
ポケットコイル１００を分解する際には、長手方向の端のコイルバネ収容室２の非融着部７１から２本の切断線４，４の間の帯状部分を切り取るようにして、袋体１０を開放し、内部からコイルバネ３を取り出して、コイルバネ３と袋体１０（不織布１）とを分離する。
このように、切断線４が袋体１０の上壁１２をポケットコイル１００の長手方向に沿って延びるよう設けられているので、ポケットコイル１００が隣接する列と側壁を接するように列を折り返して並べられている場合に、１列ずつ袋体１０を分解できる。
【００２２】
また、切断線４が、非融着部７１を通ることで、不織布が２枚重なった上下方向融着線６と交差することを回避できるので、より切断線４に沿った切断が容易になる。
【００２３】
（第２実施形態）
図５は、本発明の第２実施形態に係るポケットコイル２００を示している。ポケットコイル２００は、図５に示すように、切断線２０４が、２本平行に袋体１０の側壁１４を通るように設けられている。
このように、袋体１０の側壁１４に切断線２０４を設けることで、ポケットコイル２００を横倒しにして一本の線状に床面に載置したような場合には、全てのコイルバネ収容室２を連続して分解できる。
【００２４】
また、側壁１４を通る切断線２０４においても、非融着部７１を通るようにすることで、不織布が２枚重なった上下方向融着線６と交差することを回避できるので、切断線２０４に沿った切断が容易になる。
また、上下方向融着線６の途中に非溶着部を設け、切断線２０４がこの非溶着部を通るようにしてもよい。
尚、第２実施形態において、第１実施形態と共通する部材は、同一符号を付して説明を省略する。
【００２５】
以上、本発明のポケットコイルは、上述した実施形態に限らず、例えば、切断線は、袋体の下壁に設けてもよく、袋体の上壁、又は下壁と、側壁の両方に設けてもよいし、上壁、下壁、側壁の全てに設けてもよい。切断線は、上下方向融着線と交差するように設けてもよく、長手方向融着線と交差する方向に設けてもよい。
袋体１０は、上壁、又は下壁に不織布の幅方向の合わせ目である長手方向融着線が設けられてもよく、非融着部を備えなくとも良いし、上下方向融着線の上方と下方の両側に非融着部を備えていてもよい。
また、袋体１０は、融着の代わりに、ミシンや接着剤により形成してもよい。 
【符号の説明】
【００２６】
１００，２００  ポケットコイル
１０  袋体
１  不織布
２  コイルバネ収容室
３  コイルバネ
４，２０４  切断線
１１ａ，１１ｂ  両端
５  長手方向融着線
６  上下方向融着線
１２  上壁
１３  下壁
１４  側壁
７１  非融着部
【要約】      （修正有）【課題】リサイクル解体用の切断線が、製作時や使用時に破断することを防止し、かつ当該切断線から虫や塵がポケットコイル内部に侵入しないようにする。【解決手段】本発明は、マットレスに内設されるポケットコイル１００である。ポケットコイル１００は、多数のコイルバネ収容室２が列設された袋体１０と、コイルバネ収容室２に１つずつ収容される多数のコイルバネ３とを備えている。袋体１０は不織布１からなり、無貫通溶融線からなる切断線４を有する。【選択図】図１【図１】
0006886207.tif 000002
【図２】
0006886207.tif 000003
【図３】
0006886207.tif 000004
【図４】
0006886207.tif 000005
【図５】
0006886207.tif 000006